(57)【特許請求の範囲】
【請求項１】
器具本体と；
器具本体に設けられたＬＥＤからなるＬＥＤ光源部と；
非常用電源と；
外部電源の異常時に非常用電源からの電力供給によりＬＥＤを定電流制御で点灯させる非常用点灯回路と；
を備える非常用照明装置において、
非常用電源からの電源供給によるＬＥＤの点灯時に、ＬＥＤ光源部から照射された光の床面照度が常温雰囲気中には１．５ｌｘ以上に設定されていることを特徴とする非常用照明装置。
【請求項２】
器具本体と；
器具本体に設けられたＬＥＤからなるＬＥＤ光源部と；
非常用電源と；
常用時に外部電源からの電力供給により、ＬＥＤを点灯させる常用点灯回路と；
外部電源の異常時に非常用電源からの電力供給によりＬＥＤを定電流制御で点灯させる非常用点灯回路と；
を備える非常用照明装置において、
非常用電源からの電源供給によるＬＥＤの点灯時に、ＬＥＤ光源部から照射された光の床面照度が常温雰囲気中には２ｌｘ以上に設定されていることを特徴とする非常用照明装置。
【発明の詳細な説明】
【技術分野】
【０００１】
本発明はＬＥＤを光源とした非常用照明装置に関する。
【背景技術】
【０００２】
現在、非常用照明装置としては、外部電源の停電時等の非常時又は内蔵した非常用電源の点検時にハロゲン電球を点灯させる専用形（例えば特許文献１参照）が知られている。
【０００３】
また近年、ＬＥＤを光源とする非常用照明装置が開発されている（例えば、特許文献２参照）。すなわち、ＬＥＤは、省電力であるために、例えば非常用電源であるバッテリが小形化することが期待され、さらに、ＬＥＤ自体も小形であり、かつ、比較的光学制御が行いやすいので、光源部が小形化することにより、器具全体が小形化するということが期待できるものである。したがって、従来のハロゲン電球を用いた非常用照明装置の置換えとして実用化が期待されている。
【０００４】
一方、電球を用いた非常灯照明装置は、非常用電源の電源供給時に電球が３０分間点灯を継続するとともに、周囲温度が常温時に１ｌｘ(ルクス)以上の床面照度を継続維持することが規定されている。また、周囲温度１４０℃の雰囲気中では、３０分間点灯を継続できることが規定されている。
【０００５】
また、ＬＥＤは、周囲温度の変化に伴い、光出力が変化することが知られており、この対策に周囲温度を検出して、ＬＥＤに流す電流を変化させるというものが知られている（例えば、特許文献３参照）。
【特許文献１】特開平４−１４７５０７号公報
【特許文献２】特開２００４−１７９０４８号公報
【特許文献３】特開２００３−１８８４１５号公報
【発明の開示】
【発明が解決しようとする課題】
【０００６】
すなわち、従来の電球形非常用照明装置をＬＥＤ形非常用照明装置に置換えた場合には、周囲温度が常温時であって、非常用電源からの電力による点灯の際は、床面照度を１ｌｘ以上とすることが好適であるとともに、周囲温度１４０℃の雰囲気中でも床面照度を１ｌｘ以上とすることが安全上好適である。
【０００７】
これに対し、ＬＥＤの周囲温度と光出力の特性を鑑み、特許文献３記載のような制御をしてしまうと、高温時にＬＥＤに流す電流が過大となり、ＬＥＤが熱破壊されてしまう虞があるため、非常時の安全確保の信頼性が充分得られない可能性がある。また、周囲温度を検知するために温度センサ等を配設する必要があるため、部材が増加するとともに、新たな部材の配設スペースを確保しなければならないため、小形化に寄与しない構成となってしまうものである。
【０００８】
本発明は上記に鑑みなされたものであり、周囲温度が変化しても安全性を確保できるとともに、大形化を防ぐことができる非常用照明装置を提供することを目的とする。
【課題を解決するための手段】
【０００９】
請求項１に記載の非常用照明装置によれば、器具本体と；器具本体に設けられたＬＥＤからなるＬＥＤ光源部と；非常用電源と；外部電源の異常時に非常用電源からの電力供給によりＬＥＤを定電流制御で点灯させる非常用点灯回路と；を備える非常用照明装置において、非常用電源からの電源供給によるＬＥＤの点灯時に、ＬＥＤ光源部から照射された光の床面照度が常温雰囲気中には１．５ｌｘ以上に設定されていることを特徴とする。
【００１０】
本発明及び以下の発明において、特に指定しない限り用語の定義および技術的意味は次による。
【００１１】
器具本体は、取付壁である例えば天井面又は壁面に埋め込まれるものであってもよいし、天井面又は壁面に直接取付けられるものであってもよく、構成及び機構は特に限定しない。
【００１２】
ＬＥＤは、周囲温度１４０℃の雰囲気中で点灯を継続できるものであればよく、常温雰囲気中の光出力（照度）は、如何なるものであってもよい。
【００１３】
非常用電源は、外部電源が例えば停電したり、又は非常用電源の点検時等にＬＥＤを所定時間の間点灯させるための電源を非常用点灯回路に供給する手段であって、充電池又は電気二重層コンデンサ等を適宜用いることができる。
【００１４】
また非常用電源を常用時は充電する充電回路を備えるものであってもよい。そして、この充電回路は、例えば商用電源を整流して直流電圧を得て非常用電源を充電する。なお、非常用電源および充電回路は、器具本体に内蔵されていてもよいし、また別置形であってもよい。
【００１５】
非常用点灯回路は、外部電源の異常時の他に、非常用電源の寿命点検や発光ダイオードの点灯有無を点検する等の点検時にも動作するように設けられていてもよい。
【００１６】
本発明の作用について説明する。常用時は、例えば商用電源からの電力供給によって、非常用電源が充電回路を介して充電されている。
【００１７】
一方、非常時には、例えば停電検出手段の検出によって、光源への電力供給が非常用電源から行われるように制御され、当該非常用電源からの電力が非常用点灯回路を介して定電流制御による一定電流をＬＥＤへ供給することでＬＥＤが点灯する。そして、ＬＥＤからなるＬＥＤ光源部から出射した光は、床面に対して照射される。
【００１８】
このとき、周囲温度が常温雰囲気である例えば３０℃の場合には、ＬＥＤ光源部からの照射光により、床面照度が１．５ｌｘ以上となるように構成されている。なお、床面照度が１．５ｌｘ以上となれば、ＬＥＤ光源部のＬＥＤは、単数であってもよいし複数から構成されていてもよい。
【００１９】
本願発明について補足する。本願発明者の実験によると、ＬＥＤを定電流制御した場合において、周囲温度が３０℃である場合と周囲温度が１４０℃である場合とでは、光出力が約３０パーセント異なることが判明した。したがって、少なくとも常温雰囲気中に１．５ｌｘ以上の床面照度が確保されていれば、周囲温度が１４０℃となっても最低照度の１ｌｘを確保できることになるため、非常時の安全性を確保でき、ＬＥＤを用いた非常用照明装置を実現することができる。
【００２０】
また、ＬＥＤのばらつきを考慮すると、常温雰囲気では、２ｌｘ以上となるように設定しておくことが好適である。すなわち、ＬＥＤには、個々にばらつきがあることが知られている。そこで、本願発明者は、ＬＥＤのばらつきの程度も検証した結果、いわゆるチップ自体で１０パーセント前後、光出力比が異なることが判明した。そして、チップをさらに基板に搭載し、樹脂を充填し封止する等、コーティングしてＬＥＤの成形品にすると光出力比で２０パーセント以上のばらつきが生じることが判明した。これらのばらつきは、チップを構成する結晶、封止樹脂量、樹脂の粘度等の要因により、電気的特性又は光学特性が個々に異るために生じるものである。すなわち、周囲温度が常温雰囲気においては、床面照度を１．５ｌｘ以上確保しておいたにも関わらず、周囲温度が１４０℃となった場合には、光出力の低下率がＬＥＤ個々によって変動する虞があり、場合によっては、床面照度１ｌｘ以上を確保できない虞がある。したがって、安全性の確保とＬＥＤのばらつきを考慮すると、常温雰囲気中で２ｌｘ以上の床面照度が得られていることが非常用照明装置においては、好適である。
【００２１】
また、本願発明によれば、ＬＥＤを定電流制御することにより、周囲温度の違いで電流の制御を異ならせることがなく、複雑な制御を必要としないとともに、付加的な要素部品を追加する必要がない。さらに、定電流制御で実現できるために、周囲温度が高い場合にＬＥＤに流れる電流を増加させることがないため、周囲温度が高い場合であってもＬＥＤの点灯を長時間維持することが可能となる。
【００２２】
請求項２に記載の発明は、器具本体と；器具本体に設けられたＬＥＤからなるＬＥＤ光源部と；非常用電源と；常用時に外部電源からの電力供給により、ＬＥＤを点灯させる常用点灯回路と；外部電源の異常時に非常用電源からの電力供給によりＬＥＤを定電流制御で点灯させる非常用点灯回路と；を備える非常用照明装置において、非常用電源からの電源供給によるＬＥＤの点灯時に、ＬＥＤ光源部から照射された光の床面照度が常温雰囲気中には２ｌｘ以上に設定されていることを特徴とする非常用照明装置。
【００２３】
本願発明においては、常用時に光源を点灯させる常用点灯回路を有するものである。そして、常用点灯回路は、常用時に光源を点灯させる際に、非常用点灯回路で点灯される光源の点灯レベルよりも低い点灯レベルで点灯させるように構成することもできる。
【００２４】
本願発明によれば、ＬＥＤを常用時も点灯させる場合には、非常用電源からの電源供給によるＬＥＤの点灯時に、常温雰囲気では床面照度を２ｌｘ以上にしていることが特徴である。すなわち、電球と比較して相対的に長寿命であるＬＥＤを光源として用いたため、常用時にも例えば常夜灯として使用することが期待できるが、ＬＥＤは継続使用すると照度が徐々に低下するものである。したがって、常用時も点灯させる器具仕様である場合には、周囲温度の相違による光出力の特性変化及び経年使用による光出力の低下を考慮して、使用開始時には常温雰囲気で２ｌｘ以上となるように設定しておくことで信頼性と安全性とが高い非常用照明装置とすることができる。
【００２５】
さらにまた、ＬＥＤのばらつきも考慮すると、使用開始時には常温雰囲気で３ｌｘ以上の床面照度となるように設定しておけば、より高い安全性と信頼性とを得ることができる。
【発明の効果】
【００２６】
請求項１または２記載の発明によれば、定電流制御のＬＥＤを用いて、少なくとも常温雰囲気中に１．５ｌｘまたは２ｌｘ以上の床面照度が確保されていれば、周囲温度が１４０℃となっても最低照度の１ｌｘが得られるため、ＬＥＤを用いた非常用照明装置としての安全性を確保することができる。
【００２７】
また、ＬＥＤを定電流制御することにより、周囲温度の違いで電流の制御を異ならせることがなく、付加的な要素部品を追加する必要がないために、器具自体が大形化することがない。
【００２８】
さらにまた、定電流制御で実現できるために、周囲温度が高い場合にＬＥＤに流れる電流を増加させることがなく、周囲温度が高い場合であってもＬＥＤの点灯を比較的長く維持することが可能となるので、非常用照明装置としての安全性を確保することができる。
【発明を実施するための最良の形態】
【００２９】
図１は、本発明の実施形態の非常用照明器具の底面図、図２は、図１の非常用照明器具を天井面に配設した状態を示す部分縦断面図、図３は、図１の非常用照明器具のＬＥＤを示す説明図、図４は、本発明の実施形態に係る非常用照明器具の回路構成を示す概略説明図、図５は、本実施形態のＬＥＤの高温特性を説明する説明図である。
【００３０】
図１および図２に示すように非常用照明装置である非常用照明器具１は、天井面２に埋設される、例えば円筒状の器具本体３を具備しており、この天井面２の図２中下方を照明するようになっている。
【００３１】
非常用照明器具１は天井面２の図２中下方を臨む器具本体３の下面３ａに、環状の外向フランジ４を一体に突設する一方、器具本体３の胴部下部外面に、図１中上下一対の帯板状の係止ばね５，５を固着している。これら一対の係止ばね５，５と外向フランジ４とにより天井面２を図２中上下方向で弾性的に挟持させることにより、非常用照明器具１を天井面２に固定している。
【００３２】
図１に示すように非常用照明器具１は、その下面３ａの図中右側にて、図２中下方に開口する例えば円形状の照射開口６０を備える凹部６を形成し、この凹部６の底部中央部には光源であるＬＥＤ７を３個配設している。
【００３３】
ＬＥＤ７は、例えば６０ｌｍ／Ｗの発光効率と４〜６万時間の長寿命を有し、図３に示すように、基板７１に実装されたチップ７２を包含するように反射板７３が設けられ、その反射板７３内に蛍光体７４が混入された封止樹脂７５を充填して形成されている。そして、ＬＥＤ７が３個使用されてＬＥＤ光源部８を形成し、このＬＥＤ光源部８からの光が天井面２の図２中下方へ向けて器具本体３の照射開口６０から出射するようになっている。
【００３４】
また図１に示すように器具本体３の下面３ａには、発光ダイオード７の反対側にて、バッテリー収納部９を配設しており、そのバッテリー収納部９は、開閉蓋１３により覆われている。
【００３７】
なお、図２中符号１５は電源端子台、符号１６は点検ボタンである。点検ボタン１６はそのオン操作時に、後述する点検回路から、外部電源停電を擬似した停電擬似信号を停電検出回路に与えることにより、発光ダイオード７が外部電源の停電時に規定時間点灯するか否かを点検するための押しボタンスイッチである。
【００３８】
図４はこの非常用照明器具１の電気的構成を示すブロック図である。この図４に示すように非常用照明器具１は、図示しない商用電源等の外部電源に接続される電源端子台１５に、停電検出回路１７、充電回路１８、常用点灯回路１９を接続している。
【００３９】
停電検出回路１７は電源端子台１５に印加される外部電源の電圧が所定時間所定値以下であることを検出したときに、外部電源の停電が発生したとして停電検出信号を点灯制御部２１に与えるものである。
【００４０】
充電回路１８は外部電源の交流を所定電圧の直流に変換してバッテリー１０に給電し、充電するものである。バッテリー１０には非常用点灯回路２０が接続されている。
【００４１】
非常用点灯回路２０は外部電源の停電の非常時に、バッテリー１０を電源として発光ダイオード７を定電流によって点灯させる回路である。
【００４２】
常用点灯回路１９は外部電源が電源端子台１５に正常に給電されている常用時に、外部電源の交流を所定電圧の直流に変換して非常点灯時よりも低い点灯レベルで発光ダイオード７を点灯させる回路である。これにより、例えば０．２〜０．３ｌｘ程度の照度で常夜灯等として点灯させるものである。また常用点灯回路１９は、発光ダイオード７へ直流を供給する経路とは別に、後述する点灯制御部２１へ外部電源の交流を供給する経路も備えているものである。
【００４３】
そして、常用点灯回路１９と非常用点灯回路２０は点灯制御部２１を介して発光ダイオード７にそれぞれ接続されている。
【００４４】
点灯制御部２１は、外部電源が正常時には、発光ダイオード７を常用点灯回路１９に常用時接続している一方、外部電源の停電等非常時に、その停電を検出する停電検出回路１７からの停電検出信号を受けて、発光ダイオード７を常用点灯回路１９から非常用点灯回路２０に切り替えて接続し、その接続を前記所定時間以上保持するものである。
【００４５】
ここで、本実施形態のＬＥＤ発光部８から照射されて照射開口６０から出射する出射光について説明する。
【００４６】
本実施形態のＬＥＤ発光部８から照射されて、照射開口６０から出射する光の床面照度
は、周囲温度が例えば３０℃である常温雰囲気である場合には、１．５ｌｘ以上であって、さらに２ｌｘ以上となるように構成されている。
【００４７】
これは、図５に示したＬＥＤ７の高温特性から見出したものである。なお、図５は、周囲温度Ｔａの違いによるＬＥＤ７の特性の相違を実験した結果を示すものである。なお、本実験の条件は、各周囲温度ＴａにおいてＬＥＤ７に流す電流は一定となるように設定しているものである。
【００４８】
そして、図５の結果によると、周囲温度Ｔａが高くなるにしたがい照度が低下していくのがわかる。さらにいうと、Ｔａが３０℃である場合とＴａが１４０℃である場合とでは、光出力が約３０パーセント異なっている。
【００４９】
以上の結果より、少なくとも周囲温度が常温雰囲気中に１．５ｌｘ以上の床面照度が確保されていれば、周囲温度が１４０℃となっても床面照度を１ｌｘ以上とすることができるため、ＬＥＤ７を用いたとしても安全性の高い非常用照明器具１を実現することができる。
【００５０】
また、本実施形態では、ＬＥＤ７を常用時も点灯可能となる仕様としている。これにより、常用時にも例えば常夜灯として使用することができるため、使用用途が広がるので、汎用性が高められる点で有利である一方、ＬＥＤ７を経年使用すると初期と比較して光出力は徐々に低下する。すなわち、経年使用を考慮しない場合には、初期時周囲温度が１４０℃である場合に床面照度１ｌｘを確保できていたものの、経年使用後には床面照度１ｌｘ以下になってしまう虞がある。したがって、常用時も点灯させ得る仕様としている本実施形態の場合には、使用開始時の初期段階に周囲温度３０℃では２ｌｘ以上となるように設定しているため、経年経過後であっても高温時に床面照度１ｌｘを確保することができ、信頼性と安全性とが高い非常用照明器具１とすることができる。
【００５１】
また、本実施形態によれば、ＬＥＤ７を定電流制御していることにより、周囲温度Ｔａの違いで電流の制御を異ならせることがなく、複雑な制御を必要としないとともに、付加的な要素部品を追加する必要がない。そのため、ＬＥＤ７を用いることで小形化可能であるというメリットを損なうことが無い。
【００５２】
さらにまた、定電流制御で実現できるために、周囲温度Ｔａが高い場合に照度を確保するためにＬＥＤ７に流れる電流を増加させるということがないため、周囲温度Ｔａが高い場合であってもＬＥＤ７の点灯を長時間維持することが可能となり、結果的には、所定時間の例えば３０分間点灯を維持させることができるものとなる。
【００５３】
なお、複数のＬＥＤ７を用いた場合には、各ＬＥＤ７にばらつきが生じる。これは、例えば、ガリウムナイトライドと電極からなるチップ７２が、当該結晶や電極そのもののばらつき及びチップを形成する場合の条件違いによるばらつきによって、１０パーセント前後、各ＬＥＤ７の光出力比が異なる可能性がある。そしてさらに、チップ７２を基板７１に搭載し、封止樹脂７５を充電する等、コーティング過程における封止樹脂量の相違、樹脂の粘度の相違及び蛍光体量の相違等の要因が生じるため、ＬＥＤ７となる成形品の場合には、個々のＬＥＤ７の光出力比が２０パーセント以上異なる可能性がある。したがって、本実施形態では、周囲温度Ｔａが１４０℃となった場合の光出力の低下率がＬＥＤ７個々によって変動し、このばらつきが大きい場合には、非常時の安全性確保も考慮し、常温雰囲気中の３０℃で３ｌｘ以上の床面照度を得るようにしてもよい。
【００５４】
また、複数のＬＥＤ７を用いる場合には、ばらつきの程度が異なるＬＥＤ７を組合わせて使用することもできる。これは、例えば、光出力値が略基準値であるＬＥＤを中レベルとして、中レベルよりも光出力値が大きいものを大レベルとし、中レベルよりも光出力値が小さいものを小レベルと分類する。そして、例えば、３つのＬＥＤ７を使用する場合には、大レベル、中レベル及び小レベルから各1個づつ選択してＬＥＤ光源部８を形成する。これによると、複数の非常用照明器具１ごとに床面照度が異なることを効率的に抑制することができるため、非常時に器具間での照度にばらつきがない。
【図面の簡単な説明】
【００５５】
【図１】本発明の実施形態の非常用照明器具の底面図
【図２】図１の非常用照明器具を天井面に配設した状態を示す部分縦断面図
【図３】図１の非常用照明器具のＬＥＤを示す説明図
【図４】本発明の実施形態に係る非常用照明器具の回路構成を示す概略説明図
【図５】本実施形態のＬＥＤの高温特性を説明する説明図
【符号の説明】
【００５６】
１・・・非常用照明器具、３・・・器具本体、７・・・ＬＥＤ、８・・・ＬＥＤ光源部、１０・・・非常用電源であるバッテリ、１９・・・常用点灯回路、２０・・・非常用点灯回路
【図１】
0004683286.tif 000002
【図２】
0004683286.tif 000003
【図３】
0004683286.tif 000004
【図４】
0004683286.tif 000005
【図５】
0004683286.tif 000006